(57)【要約】【課題】散光式警光灯で周囲を幻惑させないようにその点灯を一時停止した場合でも、緊急車両による活動を周囲に向けて注意換気することができる散光式警光灯を提供する。【解決手段】主光源（ＬＥＤ６２）からの光を光学部材（集光レンズ４１）とグローブを通して外側に放射する散光式警光灯１００に、発光ユニット７０を搭載する。この発光ユニット７０は、グローブの長手方向に沿って線状または面状に延びて発光する導光部材５０と、導光部材５０に光を供給する副光源（ＬＥＤ６１）を有する。【選択図】図７
2020027722.tif 000002
【特許請求の範囲】
【請求項１】
主光源からの光を光学部材とグローブを通して外側に放射する散光式警光灯に搭載する発光ユニットであって、当該発光ユニットは、前記グローブの長手方向に沿って線状または面状に延びて発光する導光部材と、当該導光部材に光を供給する副光源を有することを特徴とする発光ユニット。
【請求項２】
主光源からの光を光学部材とグローブを通して外側に放射する散光式警光灯に搭載する複数の発光ユニットであって、当該複数の発光ユニットは、前記グローブの長手方向に沿って線状または面状に延びて発光する導光部材と、当該導光部材に光を供給する副光源をそれぞれ有し、かつ、各導光部材を前記グローブの長手方向に沿って直線状に整合する相互係合部を有することを特徴とする発光ユニット。
【請求項３】
前記導光部材が前記光学部材に隣接して配設されていることを特徴とする請求項１又は２の発光ユニット。
【請求項４】
前記主光源と前記副光源が共通の基板に配設されていることを特徴とする請求項１から３のいずれか１項の発光ニット。
【請求項５】
請求項１から４のいずれか１項の発光ユニットが前記グローブ内に搭載されていることを特徴とする散光式警光灯。
【請求項６】
前記導光部材が、前記光学部材の上側、下側又は上下両側に隣接して配設されていることを特徴とする請求項５の散光式警光灯。
【発明の詳細な説明】
【技術分野】
【０００１】
本発明は緊急車両のルーフなどに搭載される散光式警光灯に関するものである。
【背景技術】
【０００２】
救急車、消防車、パトカーなどの緊急車両のルーフには従来から、例えば特許文献１に記載の散光式警光灯が配設されている。この散光式警光灯は一般に、ルーフ上面に固定される基台と、基台上に配設される光源や電子部品と、光源や電子部品を覆う透光性のグローブを有する。光源としてはＬＥＤや電球などが使用される。光源とグローブとの間には警告照射機能を高めるために反射鏡や屈折レンズなどの各種光学部材が配設される。
【先行技術文献】
【特許文献】
【０００３】
【特許文献１】特開２００２−２４５８０４号公報
【発明の概要】
【発明が解決しようとする課題】
【０００４】
警光灯は強い光を発するため、救急車による救命活動中、消防車による消防活動中あるいはパトカーによる警ら活動中も点灯照射を続けたままでは、周囲を幻惑させ、ひいては救命活動、消防活動、警ら活動に支障を来すおそれがある。
【０００５】
そこで本発明の目的は、散光式警光灯で周囲を幻惑させないようにその点灯を一時停止した場合でも、緊急車両による活動を周囲に向けて注意換気することができる散光式警光灯を提供することにある。
【課題を解決するための手段】
【０００６】
前記課題を解決するため、本発明の散光式警光灯は、散光式警光灯のグローブの長手方向に沿って線状または面状に延びて発光する導光部材と、当該導光部材に光を供給する副光源を有する発光ユニットを搭載する。
【発明の効果】
【０００７】
本発明の散光式警光灯は、グローブの長手方向に沿って線状または面状に延びて発光する導光部材を有するので、散光式警光灯で周囲を幻惑させないようにその点灯を一時停止した場合でも、導光部材によって線状または面状の光を放射することによってグローブ長手方向全長に渡って光らせ、幻惑させることなく視認性を確保し、緊急車両による活動について周囲に向け注意換気をすることができる。
【図面の簡単な説明】
【０００８】
【図１】本発明の実施形態に係る散光式警光灯の斜視図である。
【図２】散光式警光灯の（ａ）平面図、（ｂ）正面図、（ｃ）側面図である。
【図３Ａ】散光式警光灯に使用する発光ユニットの斜視図である。
【図３Ｂ】発光ユニットの正面図である。
【図４】発光ユニットのホルダに導光部材を組み付けた状態の正面図である。
【図５】発光ユニットのホルダに取り付けられるレンズユニットの正面図である。
【図６】導光部材と基板の（ａ）正面図、（ｂ）下面図、（ｃ）側面図である。
【図７】発光ユニットを３つ接続した状態の正面図である。
【図８】４つの中間ユニットと１つの端部ユニットからなるウイングユニットを左右に配置した長尺型散光式警光灯の平面図である。
【図９】２つの中間ユニットと１つの端部ユニットからなるウイングユニットを左右に配置した短尺型散光式警光灯の平面図である。
【図１０】導光部材のみを発光させたときの発光状態を示す図である。
【発明を実施するための形態】
【０００９】
図１は本発明の実施形態に係る散光式警光灯１００の斜視図、図２は当該散光式警光灯１００の三面図である。この散光式警光灯１００は背丈を低く抑えた扁平タイプであって、その長手方向を車幅方向に向けて救急車、消防車、パトカーなどの緊急車両のルーフ上に搭載される。
【００１０】
（散光式警光灯の概略）
警光灯１００の長手方向中央部がスピーカ１３を収納したセンターユニット１０である。このセンターユニット１０の左右両側に、後述する発光ユニット７０を収納したウイングユニット２０が接続されている。センターユニット１０とウイングユニット２０は、全体が赤色透光性を有する樹脂製グローブで外装されている。
【００１１】
センターユニット１０の天井部分は、前後方向中央に位置する板状部１１と、当該板状部１１の前後両側に位置するグリッド部１２で構成されている。そしてグリッド部１２の内側（下側）にそれぞれスピーカ１３が配設されている。
【００１２】
センターユニット１０の前後両側面に、フロントプレート１４とリヤプレート１５が配設されている。当該フロントプレート１４とリヤプレート１５の表面に、必要に応じて標識灯が配設される。またフロントプレート１４とリヤプレート１５の内側に、必要に応じてＬＥＤ警光灯光源等を配設することも可能である。
【００１３】
ウイングユニット２０は左右対称形であって、同一形状の左右３つの中間ユニット２１〜２３と、１つの端部ユニット２４で構成されている。図示例では中間ユニット２１〜２３を３つ使用しているが、その数は図８と図９で後述するように増減可能である。
【００１４】
中間ユニット２１〜２３は扁平筒状構造を有し、その前面と後面が発光面とされている。そして当該前面と後面の内側に、後述する発光ユニット７０が各１個配設されている。また端部ユニット２４は片側が閉じた扁平中空構造を有し、閉じた側が発光面とされている。そして当該発光面の内側に、後述する発光ユニット７０が２個一組でＶ字状に角度を付けて配設されている。
【００１５】
（発光ユニット）
発光ユニット７０は図３Ａ、図３Ｂ、図４に示す樹脂製のホルダ３０と、光学部材４０と、導光部材５０と、図６に示すＬＥＤ基板６０を有する。ホルダ３０は図４に示すように矩形枠状に形成され、当該矩形枠の内側に光学部材４０を収容・配置するための矩形孔３１を有する。矩形孔３１の対向する２つの位置に、ネジ止め用のブラケット３２が配設されている。
【００１６】
ホルダ３０の上下両側に、導光部材５０を収容・配置するための水平な溝部３３が形成されている。この溝部３３は断面が半円弧状で、図６で後述する円柱ロッド状の導光部材５０を溝部３３に嵌合・配置できるようになっている。
【００１７】
図３Ａ、図３Ｂでホルダ３０の右端に、前記溝部３３の延長線上に位置するように、溝部３３と同一断面形の接続用溝部３４が形成されている。当該接続用溝部３４は、導光部材５０をグローブの長手方向に沿って直線状に整合するための相互係合部を構成するものである。すなわち、図７のように複数の発光ユニット７０を連続配置する際に、接続用溝部３４に、隣接する他の発光ユニット７０の導光部材５０の先端部５０ａを嵌合させることで、導光部材５０相互の直線性が担保され、かつ、発光ユニット７０相互の位置決めも担保される。
【００１８】
光学部材４０は図５に示すように、左右方向に３個連続した円形集光レンズ４１を有する。当該光学部材４０は、その長手方向両端に形成されたネジ穴４２をホルダ３０の前記ブラケット３２に位置合わせした状態で、図３Ｂに示すようにネジ３５によってホルダ３０に固定される。
【００１９】
（導光部材）
導光部材５０をＬＥＤ基板６０に取り付けた状態を図６に示す。この導光部材５０は透光性樹脂によって、直線的に延びた円柱ロッド状に形成されている。そして導光部材５０の一端部に導入部５１が接続されている。
【００２０】
導入部５１は、導光部材５０に隣接して配設されるＬＥＤ基板６０側に向けて、円弧状に屈曲している。そして導入部５１の先端部分がＬＥＤ基板６０上に配設された副光源としてのＬＥＤ６１に直に接続されている。したがって、ＬＥＤ６１の光は導入部５１を介して導光部材５０の中に導入される。
【００２１】
導光部材５０のＬＥＤ基板６０側表面には、反射スリット５２が等間隔複数で形成されている。この反射スリット５２によって、導光部材５０の長手方向に沿って進む光が、導光部材５０の軸線と直角方向、すなわちＬＥＤ基板６０と反対方向に向けて反射される。したがって、散光式警光灯１００の外側から見ると、導光部材５０が水平方向直線状に光って見える。
【００２２】
ＬＥＤ基板６０の実装面に、複数のＬＥＤ６１、６２とＬＥＤ駆動回路が実装されている。ＬＥＤ基板６０の裏側には留金具６３が取り付けられている。ＬＥＤ基板６０の片側に配設された上下２つのＬＥＤ６１は、散光式警光灯１００の副光源として、前述した２本の導光部材５０の導入部５１に光を供給する。ＬＥＤ基板６０の上下方向中央位置で左右方向に等間隔で並んで配設された３つのＬＥＤ６２は、散光式警光灯１００の主光源として、前述した３個連続の円形集光レンズ４１の中心に位置合わせされた状態で当該集光レンズ４１に向けて光を放射する。
【００２３】
導光部材５０は、ホルダ３０の溝部３３に対して図３Ａ、図３Ｂのように嵌合される。ＬＥＤ基板６０は、その周縁部が、ホルダ３０の裏側に形成された嵌合部に嵌合される。またＬＥＤ基板６０の裏側の留金具６３が、ウイングユニット２０の内側に配設された支持部に固定される。
【００２４】
図１と図２に示すように、中間ユニット２１〜２３と端部ユニット２４に、それぞれ前述した発光ユニット７０が２個ずつ配設される。中間ユニット２１〜２３は、図８のように追加接続することで散光式警光灯１００の横幅を自在に延長することができる。また図９のように中間ユニットの数を減らすことで散光式警光灯１００の横幅を自在に短縮することができる。したがって、本発明の実施形態によれば、緊急車両の大きさに応じて、散光式警光灯１００の異なるサイズを複数種類ラインナップする必要性を低減することができ、ひいては散光式警光灯１００のコストダウンを図ることができる。
【００２５】
（散光式警光灯の発光状態）
散光式警光灯１００のすべてのＬＥＤ６１、６２を同時に発光させると、図２（ｂ）において各発光ユニット７０から３個連続の円形集光レンズ４１から一斉に強い光が放射されると共に、導光部材５０からの光が線状となって当該円形集光レンズ４１の上下両側を縁取りする。このような縁取り発光パターンは従来の散光式警光灯にはない特異な印象を看者に与え、周囲に対する注意換気効果が高まる。なお、導光部材５０の線状の光が不要な場合は主光源のＬＥＤ６２のみを点灯する。これにより従来の散光式警光灯と同様の発光状態が得られる。
【００２６】
主光源のＬＥＤ６２を点灯させたときの円形集光レンズ４１からの光は強力であるから、救急車による救命活動中、消防車による消防活動中あるいはパトカーによる警ら活動中も点灯照射を続けたままでは、周囲を幻惑させ、ひいては救命活動、消防活動、警ら活動に支障を来すおそれがある。そこで本発明の実施形態では、救命活動、消防活動、警ら活動中は、主光源のＬＥＤ６２を消灯し、代わって導光部材５０を発光する副光源のＬＥＤ６１のみを点灯する。これにより周囲の幻惑を防止し、救命活動、消防活動、警ら活動を円滑なものにすることができる。
【００２７】
しかも当該活動中は導光部材５０からの比較的柔らかな光が線状となって上下二段で幅広く発光する。また、発光ユニット７０は個別に導光部材５０用の副光源としてのＬＥＤ６１を備えているので、ＬＥＤ６１の明るさに性能上の制約があっても、導光部材５０の長さ方向における発光減衰量が少なく、均一で明るい光で発光させることができる。このような導光部材５０の均一で明るい線状発光により、周囲の幻惑を防止しつつ緊急車両による活動について周囲に向けた一定の注意換気効果を維持することができる。図１０は、主光源のＬＥＤ６２を消灯して副光源のＬＥＤ６１で導光部材５０のみを発光させた場合の発光状態を示すもので、導光部材５０が均一な明るい光で線状に発光するのが分かる。
【００２８】
導光部材５０の発光パターンは、ＬＥＤ６２を一斉に点滅させたり、尾を引くように順次点滅させたり、あるいは上段と下段で異なる発光パターンにするなど、必要に応じて多様な発光パターンを選択することができる。したがって、注意換気の必要性の程度に応じて導光部材５０の発光パターンを切り替えることができる。
【００２９】
以上、本発明の実施形態について説明したが、本発明は前記実施形態以外にも種々の変形が可能である。例えば前記実施形態では複数の発光ユニット７０を横方向に連続的に接続したが、発光ユニット７０を連続させないで間欠的に配置するなど、単体での使用も可能である。
【００３０】
また、前記実施形態では導光部材５０を円柱ロッド状で直線状に形成したが、当該導光部材５０を上下方向に幅広に形成して面状に発光させることも可能である。これにより柔らかな光をより広範囲で発光させることができ、幻惑性を低減しつつ視認性をいっそう向上させることができる。
【００３１】
また前記実施形態では光学部材４０の上下に位置するように導光部材５０を二段で配設したが、光学部材４０の上側または下側のみに導光部材５０を一段で配設してもよい。また、左右の発光ユニット７０の間を仕切るように導光部材５０を縦方向に配設することも可能である。
【符号の説明】
【００３２】
１０：センターユニット                １１：板状部
１２：グリッド部                      １３：スピーカ
１４：フロントプレート                １５：リヤプレート
２０：ウイングユニット                ２１-２３：中間ユニット
２４：端部ユニット                    ３０：ホルダ
３１：矩形孔                          ３２：ブラケット
３３：溝部                            ３４：接続用溝部
３５：ネジ                            ４０：光学部材
４１：集光レンズ                      ４２：ネジ穴
５０：導光部材                        ５１：導入部
５２：反射スリット                    ６０：基板
６１、６２：ＬＥＤ                    ６３：留金具
７０：発光ユニット                    １００：散光式警光灯
【図１】
2020027722.tif 000003
【図２】
2020027722.tif 000004
【図３Ａ】
2020027722.tif 000005
【図３Ｂ】
2020027722.tif 000006
【図４】
2020027722.tif 000007
【図５】
2020027722.tif 000008
【図６】
2020027722.tif 000009
【図７】
2020027722.tif 000010
【図８】
2020027722.tif 000011
【図９】
2020027722.tif 000012
【図１０】
2020027722.tif 000013